(57)【要約】【課題】遊技盤面に組み付けられた風車役物を交換する際に風車釘を抜き取ることなく、羽根車、前板のみを交換することによって新たな風車役物と交換することを可能とした風車役物を提供する。【解決手段】風車部材２５は、風車釘２１に挿通される軸穴３１ａを有した樹脂製の羽根車３０と、羽根車の前面に取り付けられる前板３５と、を備え、羽根車は、軸穴を有した軸部材３１と、軸部材の外周面に突設された羽根３２と、から成り、軸部材の外周面適所から軸穴に達する切り込み部３３を備え、切り込み部は弾性的に開閉可能に構成されており、該切り込み部から該羽根車を開放することにより風車釘を軸孔内に着脱可能に構成されている。【選択図】図３
2010075335.tif 000002
【特許請求の範囲】
【請求項１】
遊技盤面に立設された風車釘と、該風車釘によって回転自在に軸支された風車部材と、を有した風車役物であって、
前記風車部材は、前記風車釘に挿通される軸穴を有した樹脂製の羽根車と、該羽根車の前面に取り付けられる前板と、を備え、
前記羽根車は、前記軸穴を有した軸部材と、軸部材の外周面に突設された羽根と、から成り、前記軸部材の外周面適所から前記軸穴に達する切り込み部を備え、
前記切り込み部は弾性的に開閉可能に構成されており、該切り込み部から該羽根車を開放することにより前記風車釘を前記軸孔内に着脱可能に構成されていることを特徴とする風車役物。
【請求項２】
前記羽根車を前記風車釘に対して回転自在に軸支した状態で前記羽根車の前面に固定される前板によって、前記切り込み部からの前記羽根車の開放を阻止する構成を備えていることを特徴とする請求項１に記載の風車役物。
【請求項３】
前記切り込み部は、前記軸部材の半径方向へ延びることにより該羽根車を半割構造としていることを特徴とする請求項１、又は２に記載の風車役物。
【請求項４】
前記切り込み部は、前記軸部材の直径方向へ延びることにより該羽根車を二分割構造としていることを特徴とする請求項１、又は２に記載の風車役物。
【請求項５】
前記二分割構造の羽根車は、各分割片に設けた係着片により結合されることを特徴とする請求項４に記載の風車役物。
【請求項６】
前記前板は、前記羽根車の前面に添設される前板本体と、該前板本体の周縁から突設されて前記羽根車と係着する係止片と、から構成されていることを特徴とする請求項１乃至５の何れか一項に記載の風車役物。
【発明の詳細な説明】
【技術分野】
【０００１】
本発明は、パチンコ遊技機を構成する遊技盤面上に配置されて遊技球の流下経路に変化を与える風車役物の改良に関する。
【背景技術】
【０００２】
パチンコ遊技機においては、遊技盤の盤面に入賞口、風車役物、図柄表示装置、電飾装置等の各種盤面部品を設けて遊技内容の多様性を図っている。
風車役物は、風車軸によって羽根車を回転自在に軸支した構成を備え、遊技盤面を流下してきた遊技球が羽根車の羽根に当接することにより羽根車を回転させて演出効果を発揮させると共に、羽根による干渉によって遊技球の流下経路に変化がもたらされる。
図６（ａ）及び（ｂ）は従来の風車役物の構成例を示す分解斜視図、及び完成体の縦断面図である。この風車役物１００は、遊技盤面１１０に突設した風車釘１０１によって回転自在に軸支された樹脂製の羽根車１０２と、羽根車１０２の前面に固定されて羽根車と一体回転する板金製の前板１０３と、から構成されている（例えば、特許文献１）。
遊技機を製造する過程においては、羽根車１０２及び前板１０３を組み付けた風車釘１０１をベニヤ板やアクリル板から成る遊技盤面１１０に打ち込むことにより風車役物の組付けを行う。
羽根車１０２は樹脂製であるため、長期間使用されている遊技機に装備された風車役物の羽根車は遊技球との接触により経時的に損耗し、交換する必要が生じる。風車役物を交換する際に従来は風車釘を遊技盤から抜き取ることによって風車役物全体を取外し、その後、新たな羽根車と前板を組み付けた状態の風車釘を遊技盤面上の元の釘穴に打ち込み直していた。
しかし、遊技盤はベニヤ板、或いはアクリル板から構成されているため、風車釘を一旦抜き取った後に盤面に形成される釘穴は変形、拡径し易く、同じ釘穴に風車釘を再度打ち込んだ場合にがたつきが発生し易くなる。がたつきを有した風車釘により支持された羽根車は遊技球からの衝撃によって更に挙動が安定しなくなり、短期間で交換の必要が生じることとなる。
【特許文献１】特開２００２−２００３１３公報
【発明の開示】
【発明が解決しようとする課題】
【０００３】
以上のように従来の風車役物は、ベニヤ板、或いはアクリル板から構成された遊技盤面に打ち込んだ風車釘によって支持されているため、羽根車だけを交換する必要がある場合であっても風車釘と共に羽根車を遊技盤面から抜き取り、その後新たな羽根車を組み付けた風車釘を元の釘穴に打ち込む必要があった。このため、釘穴内で風車釘ががたつきを起こしやすく、交換後の風車役物の耐久性が低下し易くなるという問題があった。
本発明は上記に鑑みてなされたものであり、遊技盤面に組み付けられた風車役物を交換する際に風車釘を抜き取ることなく、羽根車、前板のみを交換することによって新たな風車役物と交換することを可能とした風車役物を提供することを目的としている。
【課題を解決するための手段】
【０００４】
上記目的を達成するため、請求項１の発明は、遊技盤面に立設された風車釘と、該風車釘によって回転自在に軸支された風車部材と、を有した風車役物であって、前記風車部材は、前記風車釘に挿通される軸穴を有した樹脂製の羽根車と、該羽根車の前面に取り付けられる前板と、を備え、前記羽根車は、軸穴を有した軸部材と、軸部材の外周面に突設された羽根と、から成り、前記軸部材の外周面適所から前記軸穴に達する切り込み部を備え、前記切り込み部は弾性的に開閉可能に構成されており、該切り込み部から該羽根車を開放することにより前記風車釘を前記軸孔内に着脱可能に構成されていることを特徴とする。
風車部材を新たなものと交換する際に、遊技盤面上の風車釘を抜くことなく、羽根車だけを取り外してから、新たな羽根車を既設の風車釘に対して組み付けることにより交換が完了する。このように、交換に際して既存の風車釘をそのまま流用することができ、風車釘を遊技盤面から抜き取る必要がない。このため、従来風車釘を着脱する際に発生し易かった釘穴の変形、拡径が防止され、風車釘のがたつきによって新たな風車役物の耐久性が低下するという不具合を解決できる。
【０００５】
請求項２の発明は、請求項１において、前記羽根車を前記風車釘に対して回転自在に軸支した状態で前記羽根車の前面に固定される前板によって、前記切り込み部からの前記羽根車の開放を阻止する構成を備えていることを特徴とする。
請求項３の発明は、請求項１、又は２において、前記切り込み部は、前記軸部材の半径方向へ延びることにより該羽根車を半割構造としていることを特徴とする。
請求項４の発明は、請求項１、又は２において、前記切り込み部は、前記軸部材の直径方向へ延びることにより該羽根車を二分割構造としていることを特徴とする。
請求項５の発明は、請求項４において、記二分割構造の羽根車は、各分割片に設けた係着片により結合されることを特徴とする。
請求項６の発明は、請求項１乃至５の何れか一項において、記前板は、前記羽根車の前面に添設される前板本体と、該前板本体の周縁から突設されて前記羽根車と係着する係止片と、から構成されていることを特徴とする。
【発明の効果】
【０００６】
本発明では、羽根車を分割構造とし、風車釘に対して後付け可能に構成した。このため、風車役物を交換する際に風車釘を抜き取ることなく、羽根車、前板のみを交換することによって新たな風車役物と交換することができる。従って、従来風車釘を着脱する際に発生し易かった釘穴の変形、拡径が防止され、風車釘のがたつきによって新たな風車役物の耐久性が低下するという不具合を解決できる。
【発明を実施するための最良の形態】
【０００７】
以下、本発明を図面に示した実施の形態により詳細に説明する。
図１は本発明の一実施形態に係る遊技機の一例としてのパチンコ遊技機の正面図である。
図１に示すパチンコ遊技機１は、矩形形状の枠２を有し、この枠２の窓孔に対して裏側から遊技盤３が着脱可能に取り付けられている。
遊技盤３の前面側には図示しないガラス枠が開閉可能に取り付けられている。また遊技盤３の下部には遊技球を貯めておく受け皿部４と、受け皿部４内の遊技球を発射する発射レバー５等が設けられている。また受け皿部４の上部には、遊技演出を行うチャンスボタンや十字キー、あるいは遊技球の購入ボタンや購入取り消しボタンなどの操作部６が設けられている。
遊技盤３の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口７に案内したりする外レールＲ１及び内レールＲ２が設けられている。
遊技盤３のほぼ中央には、画像表示手段としての液晶表示器８が配置されている。液晶表示器８は、例えば液晶表示パネルにより構成され、通常動作状態の時は、特別図柄に応じた画像が表示される。また、所謂リーチ状態や特別遊技状態の時は、それぞれの遊技状態であることを示す演出画像等が表示される。
遊技盤３の右側下方の遊技領域外には、特別図柄の変動と表示を行う図示しない特別図柄表示器や普通図柄の変動と表示を行う普通図柄表示器などが設けられている。
【０００８】
特別図柄変動中に後述する第１始動口スイッチ又は第２始動口スイッチによって遊技球の入賞が検知されると、当該入球によって得られる特別図柄の変動表示の権利、いわゆる貯留球が貯留される。この貯留された貯留球の数は貯留ランプにより表示される。
液晶表示器（画像表示装置）８の下方には、始動入賞口９が設けられ、更にその下方には特別図柄表示器の特別図柄を可変表示させるための可変入賞装置１０が設けられている。
可変入賞装置１０は、上始動ポケット１１と、左右一対の開閉爪（開閉片）を有する電動式チューリップ（以下、「電チュー」と称する）１２とを備える。上始動ポケット１１内には、特別図柄表示器の特別図柄を変動表示させる第１始動口スイッチが設けられている。また電チュー１２の内部には、特別図柄表示器の特別図柄を変動表示する第２始動口スイッチが設けられている。
【０００９】
また、液晶表示器８の左側には、遊技盤の右下部に配置された普通図柄表示器を作動させるためのゲート１３が設けられている。ゲート１３の内部にはゲートスイッチが設けられており、遊技球がゲート１３のゲートスイッチを通過したときに、所定時間作動して停止するようになっている。そして、所定態様で停止したときに可変入賞装置１０に設けられた電チュー１２から成る開閉片を所定時間、開成動作するように構成されている。
さらに可変入賞装置１０の下方には、特別遊技状態の一つである大当り状態のときに開成状態になる開閉扉を有する大入賞口１４が設けられている。
また遊技盤３には、普通入賞口１６が設けられていると共に、遊技盤面には風車役物２０や、図示しない多数の遊技釘が突設されている。
風車役物２０は、遊技球が接触することによって回転する羽根車を備え、遊技球の落下速度を遅くすると共に、落下方向を変化させて遊技進行上の興趣を高めている。
本発明の特徴は、風車役物２０の構成にある。
【００１０】
図２（ａ）（ｂ）及び（ｃ）は本発明の一実施形態に係る風車役物の構成を示す斜視図、側面図、及び、背面図であり、図３（ａ）（ｂ）及び（ｃ）は風車役物の分解斜視図、羽根車を開放した状態を示す斜視図、及び風車役物を遊技盤面に取り付けた状態を示す断面図である。
風車役物２０は、遊技盤面３ｂに立設された風車釘２１と、風車釘２１によって回転自在に軸支された風車部材２５と、を有する。
風車部材２５は、風車釘２１に挿通される軸穴を有した樹脂製の羽根車３０と、羽根車の前面に取り付けられる前板３５と、を備えている。
羽根車３０は、軸穴３１ａを有した軸部材３１と、軸部材３１の外周面に所定の周方向ピッチにて突設された羽根３２と、から成り、更に軸部材３１の外周面適所から軸穴３１ａに達する切り込み部（切り込み線）３３を軸方向全長に亘って備えている。
切り込み部３３は、軸部材３１の外周面から軸穴３１ａに向けて半径方向へ延びることにより羽根車を半割り構造としている。軸部材３１は筒状部３１Ａの前面にフランジ状の前面部３１Ｂを一体化した構成を備えており、切り込み部３３は筒状部３１Ａ及び前面部３１Ｂにかけて形成されている。
【００１１】
樹脂製の軸部材３１に形成した切り込み部３３を開閉することにより、羽根車全体として弾性的に開閉可能となり、軸部材の中心部に位置する軸穴３１ａを開閉することができる。
このため、開放した切り込み部３３から軸穴３１ａの内部に風車釘２１を着脱することが可能となる。
前面部３１Ｂの前面中央部には風車釘２１の頭部を嵌合させるための凹所３４を設ける。
前板３５は、例えば板金製であり、前面に任意の絵柄等が形成された前板本体３５ａと、前板本体の外周縁から突設されたカシメ用の係止片３５ｂと、を有する。前板本体３５ａは、その裏面を羽根車３０の前面部３１Ｂに添設した状態で、各係止片３５ｂを前面部３１Ｂの外周縁に向けてかしめることにより、羽根車の前面部３１Ｂと一体化される。各係止片３５ｂが前面部３１Ｂの外周縁と係着することにより、風車釘２１に軸穴３１ａを挿通された状態にある羽根車３０が切り込み部３３から開放して風車釘から脱落する不具合を防止できる。
【００１２】
遊技機の製造構造において遊技盤面に本発明の風車役物２０を組み付ける際には、組付け前に予め風車釘２１を風車部材２５の軸穴３１ａを挿通してから、前板３５を軸部材３１の前面部３１Ｂに組み付けることにより風車役物２０を完成しておき、この風車役物の底部から突出した風車釘２１の先端部を遊技盤面３ｂに打ち込むことにより組付けを完了する。
遊技盤に搭載された風車役物の耐久性が低下した等の事情により風車役物を交換する場合には、風車釘２１を抜くことなく、旧風車役物の風車部材２５だけを風車釘から取り外す。その手順としては、まず前板３５を軸部材３１の前面部３１Ｂから取外し、次いで軸部材３１の切り込み部３３を強制的に開放して軸穴３１ａを開放してから風車釘２１から軸部材３１を離脱させる。これにより、風車部材の取り外しが完了する。
【００１３】
次に、新たな風車部材２５を風車釘に組み付ける場合には、図３（ｂ）に示すように新たな軸部材３１の切り込み部３３を開放しながら軸穴３１ａ内に遊技盤面に突設された既設の風車釘２１を差込み、差込みが完了したら切り込み部を開放する力を解除する。この時点で風車部材２５は風車釘２１によって回転自在に軸支されている。次いで、前板３５を軸部材３１の前面部３１Ｂに添設してから係止片３５ｂをかしめて前面部３１Ｂの外周縁に係止する。以上の交換手順により新たな風車部材の取付けが完了する。
本発明の風車役物は、交換に際して既存の風車釘２１をそのまま流用することができ、風車釘を遊技盤面から抜き取る必要がない。このため、従来風車釘を着脱する際に発生し易かった釘穴の変形、拡径が防止され、風車釘のがたつきによって新たな風車役物の耐久性が低下するという不具合を解決できる。
【００１４】
次に、図４（ａ）及び（ｂ）は本発明の変形実施形態に係る風車部材の要部斜視図、及び軸部材の断面図であり、切り込み部３３の一方の端部から延びる弾性フック片（係着片）３３ａを他方の端部に設けた係止溝３３ｂ内に係止させることにより、軸部材の開放を防止するように構成してもよい。このように構成した場合には、前板３５によって軸部材の開放を防止する構成は不要となる。
この実施形態に係る風車役物においても、交換に際して既存の風車釘２１をそのまま流用することができ、風車釘を遊技盤面から抜き取る必要がない。このため、従来風車釘を着脱する際に発生し易かった釘穴の変形、拡径が防止され、風車釘のがたつきによって新たな風車役物の耐久性が低下するという不具合を解決できる。
【００１５】
次に、図５（ａ）（ｂ）及び（ｃ）は本発明の他の実施形態に係る風車役物の構成を示す分解斜視図、分解底面図、及び分解断面図であり、この実施形態に係る樹脂製の羽根車３０は、その軸部材３１が軸方向全長に延び、且つ直径方向へ貫通した切り込み部３３によって二分割されている点が特徴的である。
二分割された軸部材分割片４０、４１は、切り込み部３３による分割面を介して結合することにより一つの軸部材３１を構成すると共に、各軸部材分割片４０、４１に設けた弾性フック片（係着片）４２を、各軸部材分割片４０、４１に設けた係止溝４３に係止させることにより、軸部材の開放を防止するようにしている。このように構成した場合には、前板３５によって軸部材の開放を防止する構成は不要となる。
この実施形態に係る風車役物においても、交換に際して既存の風車釘２１をそのまま流用することができ、風車釘を遊技盤面から抜き取る必要がない。このため、従来風車釘を着脱する際に発生し易かった釘穴の変形、拡径が防止され、風車釘のがたつきによって新たな風車役物の耐久性が低下するという不具合を解決できる。
【図面の簡単な説明】
【００１６】
【図１】本発明の一実施形態に係る遊技機の一例としてのパチンコ遊技機の正面図である。
【図２】（ａ）（ｂ）及び（ｃ）は本発明の一実施形態に係る風車役物の構成を示す斜視図、側面図、及び、背面図である。
【図３】（ａ）（ｂ）及び（ｃ）は風車役物の分解斜視図、羽根車を開放した状態を示す斜視図、及び風車役物を遊技盤面に取り付けた状態を示す断面図である。
【図４】（ａ）及び（ｂ）は本発明の変形実施形態に係る風車部材の要部斜視図、及び軸部材の断面図である。
【図５】（ａ）（ｂ）及び（ｃ）は本発明の他の実施形態に係る風車役物の構成を示す分解斜視図、分解底面図、及び分解断面図である。
【図６】（ａ）及び（ｂ）は従来の風車役物の構成例を示す分解斜視図、及び完成体の縦断面図である。
【符号の説明】
【００１７】
１：パチンコ遊技機、２：枠、３ａ：遊技領域、３ｂ：遊技盤面、４：皿部、５：発射レバー、６：操作部、７：アウト口、８：液晶表示器、９：始動入賞口、１０：可変入賞装置、１１：上始動ポケット、１２：電チュー、１３：ゲート、１４：大入賞口、１６：普通入賞口、２０：風車役物、２１：風車釘、２５：風車部材、３：遊技盤、３０：羽根車、３１：軸部材、３１Ａ：筒状部、３１Ｂ：前面部、３１ａ：軸穴、３２：羽根、３３：切り込み部、３３ｂ：係止溝、３４：凹所、３５：前板、３５ａ：前板本体、３５ｂ：係止片、４０、４１：軸部材分割片、４３：係止溝
【図１】
2010075335.tif 000003
【図２】
2010075335.tif 000004
【図３】
2010075335.tif 000005
【図４】
2010075335.tif 000006
【図５】
2010075335.tif 000007
【図６】
2010075335.tif 000008